(57)【要約】【課題】データの管理及び処理の観点で高効率なバリアブル印刷用の面付けデータを作成可能なデータ作成装置、方法及びプログラムを提供する。【解決手段】バリアブル印刷に供されるＰＤＦ／ＶＴデータ５２を解析することで、各レコードを構成するページ数を各個別ページ数として取得する。各個別ページ数のうち最大のページ数を共通ページ数として決定する。そして、共通ページ数からなる共通の且つ単一のページ配置情報８４を示す面付けデータ５４を作成する。【選択図】図６
2015001846.tif 000002
【特許請求の範囲】
【請求項１】
バリアブル印刷に供されるページ記述データを解析することで、各レコードを構成するページ数を各個別ページ数として取得する個別ページ数取得部と、
前記個別ページ数取得部により取得された前記各個別ページ数のうち最大のページ数を共通ページ数として決定する共通ページ数決定部と、
前記共通ページ数決定部により決定された前記共通ページ数からなる共通の且つ単一のページ配置を示す面付けデータを作成する面付けデータ作成部と
を備えることを特徴とするデータ作成装置。
【請求項２】
請求項１記載のデータ作成装置において、
前記面付けデータ作成部は、前記各個別ページ数が前記共通ページ数よりも小さい場合に、前記各レコードでの不足分に対して余白のページをそれぞれ挿入することで前記面付けデータを作成することを特徴とするデータ作成装置。
【請求項３】
請求項１又は２に記載のデータ作成装置において、
前記面付けデータ作成部は、複数の折り丁で構成される前記ページ配置を示す前記面付けデータを作成することを特徴とするデータ作成装置。
【請求項４】
請求項１〜３のいずれか１項に記載のデータ作成装置において、
１枚のシート当たりの割り付けページ数、全レコード数及び前記共通ページ数に基づいて、前記各レコードを印刷可能である最小のシート数を算出するシート数算出部を更に備えることを特徴とするデータ作成装置。
【請求項５】
バリアブル印刷に供されるページ記述データを解析することで、各レコードを構成するページ数を各個別ページ数として取得するステップと、
取得された前記各個別ページ数のうち最大のページ数を共通ページ数として決定するステップと、
決定された前記共通ページ数からなる共通の且つ単一のページ配置を示す面付けデータを作成するステップと
をコンピュータに実行させることを特徴とするデータ作成方法。
【請求項６】
バリアブル印刷に供されるページ記述データを解析することで、各レコードを構成するページ数を各個別ページ数として取得するステップと、
取得された前記各個別ページ数のうち最大のページ数を共通ページ数として決定するステップと、
決定された前記共通ページ数からなる共通の且つ単一のページ配置を示す面付けデータを作成するステップと
をコンピュータに実行させることを特徴とするデータ作成プログラム。
【発明の詳細な説明】
【技術分野】
【０００１】
この発明は、バリアブル印刷に適した面付けデータを作成するデータ作成装置、方法及びプログラムに関する。
【背景技術】
【０００２】
近時、印刷分野において、ＤＴＰ（DeskTop Publishing）やＣＴＰ（Computer To Plate）の普及により、印刷工程のワークフローが全体的にデジタル化されている。特に、一部のコンテンツ情報を共有する複数の制作物（例えば、料金明細の内訳書）を効率よく生産する手法として、バリアブル印刷に関する技術が種々提案されている。
【０００３】
特許文献１では、１つのレイアウト単位を表すページ編集データを複製・修正することで、バリアブル印刷用の制御データ（以下、バリアブル印刷用データ）を生成する方法及び装置が提案されている。
【先行技術文献】
【特許文献】
【０００４】
【特許文献１】特開２００７−１３０９４７号公報
【発明の概要】
【発明が解決しようとする課題】
【０００５】
ところで、バリアブル印刷用データの印刷単位であるレコードは、１ページ単位のみならず複数ページ単位で構成される場合がある。また、同一のバリアブル印刷用データ内であっても、レコードに応じて異なるページ数を任意に設定できる。
【０００６】
しかし、特許文献１に記載された方法等では、バリアブル印刷用データに関する上記の編集形態を何ら考慮していない。また、複雑なページ構成にも対応可能にするため、レコード毎のページ配置を一括して保存・管理することも想定されるが、取り扱うデータ量がそれだけ膨大になり、管理及び処理の観点で好ましくなかった。
【０００７】
本発明は、上記した課題を解決するためになされたものであり、データの管理及び処理の観点で高効率なバリアブル印刷用の面付けデータを作成可能なデータ作成装置、方法及びプログラムを提供することを目的とする。
【課題を解決するための手段】
【０００８】
本発明に係るデータ作成装置は、バリアブル印刷に供されるページ記述データを解析することで、各レコードを構成するページ数を各個別ページ数として取得する個別ページ数取得部と、前記個別ページ数取得部により取得された前記各個別ページ数のうち最大のページ数を共通ページ数として決定する共通ページ数決定部と、前記共通ページ数決定部により決定された前記共通ページ数からなる共通の且つ単一のページ配置を示す面付けデータを作成する面付けデータ作成部とを備える。
【０００９】
このように、各個別ページ数のうち最大のページ数を共通ページ数として決定し、共通ページ数からなる共通の且つ単一のページ配置を示す面付けデータを作成するようにしたので、レコード１つ分に相当するデータ量を取り扱えば足り、データの管理及び処理の観点で高効率なバリアブル印刷用の面付けデータを作成できる。
【００１０】
また、前記面付けデータ作成部は、前記各個別ページ数が前記共通ページ数よりも小さい場合に、前記各レコードでの不足分に対して余白のページをそれぞれ挿入することで前記面付けデータを作成することが好ましい。
【００１１】
また、前記面付けデータ作成部は、複数の折り丁で構成される前記ページ配置を示す前記面付けデータを作成することが好ましい。
【００１２】
また、１枚のシート当たりの割り付けページ数、全レコード数及び前記共通ページ数に基づいて、前記各レコードを印刷可能である最小のシート数を算出するシート数算出部を更に備えることが好ましい。
【００１３】
本発明に係るデータ作成方法は、バリアブル印刷に供されるページ記述データを解析することで、各レコードを構成するページ数を各個別ページ数として取得するステップと、取得された前記各個別ページ数のうち最大のページ数を共通ページ数として決定するステップと、決定された前記共通ページ数からなる共通の且つ単一のページ配置を示す面付けデータを作成するステップとをコンピュータに実行させる。
【００１４】
本発明に係るデータ作成プログラムは、バリアブル印刷に供されるページ記述データを解析することで、各レコードを構成するページ数を各個別ページ数として取得するステップと、取得された前記各個別ページ数のうち最大のページ数を共通ページ数として決定するステップと、決定された前記共通ページ数からなる共通の且つ単一のページ配置を示す面付けデータを作成するステップとをコンピュータに実行させる。
【発明の効果】
【００１５】
本発明に係るデータ作成装置、方法及びプログラムによれば、各個別ページ数のうち最大のページ数を共通ページ数として決定し、共通ページ数からなる共通の且つ単一のページ配置を示す面付けデータを作成するようにしたので、レコード１つ分に相当するデータ量を取り扱えば足り、データの管理及び処理の観点で高効率なバリアブル印刷用の面付けデータを作成できる。
【図面の簡単な説明】
【００１６】
【図１】この実施形態に係るデータ作成装置としての面付け装置を組み込んだ印刷物生産システムの全体構成図である。
【図２】図１に示す面付け装置の電気的なブロック図である。
【図３】図２に示すＰＤＦ／ＶＴデータから把握されるデータ構造を示す概略説明図である。
【図４】図１及び図２に示す面付け装置の動作説明に供されるフローチャートである。
【図５】通常印刷時におけるジョブ編集画面を表す画像図である。
【図６】図３に示すデータ構造の変更結果を示す概略説明図である。
【図７】バリアブル印刷時におけるジョブ編集画面を表す画像図である。
【図８】通常モードにおける面付け編集画面を表す画像図である。
【図９】Ｓ＆Ｃモードにおける面付け編集画面を表す画像図である。
【図１０】図１０Ａ及び図１０Ｂは、各レコードを構成するページ数が異なる場合の処理方法に関する概略説明図である。
【発明を実施するための形態】
【００１７】
以下、本発明に係るデータ作成方法について、それを実施するデータ作成装置及びプログラムとの関係において好適な実施形態を挙げ、添付の図面を参照しながら詳細に説明する。
【００１８】
［印刷物生産システム１０の全体構成］
図１は、この実施形態に係るデータ作成装置としての面付け装置２０を組み込んだ印刷物生産システム１０の全体構成図である。
【００１９】
印刷物生産システム１０内には、ネットワーク１２との接続を中継する機器であるルータ１４と、外部ネットワークに属する図示しない各端末装置からネットワーク１２を介してアクセス可能なサーバ装置１６と、サーバ装置１６等から取得したデータの編集等を含むＤＴＰ（Desktop Publishing）処理を行うためのＤＴＰ端末１８と、ＤＴＰ端末１８により処理されたコンテンツデータを面付けする面付け装置２０と、面付け装置２０により面付けされた出力用データに基づいてラスタライズ処理や色変換処理等の各画像処理を実行するＲＩＰ装置２２と、ＲＩＰ装置２２から送信された校正用データに基づいてプルーフ２４を印刷可能である校正機２６と、ＲＩＰ装置２２から送信された製版用データに基づいて印刷物２８を形成可能であるデジタル印刷機３０と、が設けられている。
【００２０】
サーバ装置１６は、印刷物生産システム１０におけるワークフロー管理の中核をなす装置である。サーバ装置１６は、ルータ１４及びネットワーク１２を介して、デザイナ及び／又は制作会社（いずれも図示しない）が備える各端末装置に通信可能に接続されている。また、サーバ装置１６は、印刷物生産システム１０内に構築されたＬＡＮ（Local Area Network）３２を介して、ＤＴＰ端末１８、面付け装置２０及びＲＩＰ装置２２に通信可能に接続されている。
【００２１】
すなわち、サーバ装置１６は、各種データファイルの格納・転送を司るファイルサーバとしての機能、各端末装置、各ユーザ、又は各印刷ジョブにおいて実行可能なタスク権限を管理する権限管理サーバとしての機能、又は、各工程の開始・終了等の所定のタイミングで通知メールを生成・配信するメールサーバとしての機能をそれぞれ実行可能に構成されている。
【００２２】
なお、ファイルサーバとして管理可能な各種データファイルには、例えば、コンテンツデータ、印刷用データ（例えば、製版用データ、刷版用データ、又は校正用データ）、ジョブチケット｛例えば、ＪＤＦ（Job Definition Format）ファイル｝、ＩＣＣ（International Color Consortium）プロファイル、色見本データ等が含まれる。
【００２３】
ＤＴＰ端末１８は、文字、図形、絵柄や写真等から構成されるコンテンツデータに対してプリフライト処理を施した後、ページ単位の画像データを作成する。面付け装置２０は、ジョブチケットのタグ情報を参照しながら、指定された綴じ方法や紙折り方法に応じた面付け処理を行う。
【００２４】
ＲＩＰ装置２２は、少なくとも１種の印刷機に対する印刷処理サーバとして機能する。図１例では、ＲＩＰ装置２２は、校正機２６と、デジタル印刷機３０とに通信可能に接続されている。この場合、ＲＩＰ装置２２は、ページ記述言語で記述されたＰＤＬ形式のデータ（以下、ページ記述データともいう）を各出力デバイスに適した出力用データに変換し、該出力用データを校正機２６又はデジタル印刷機３０に供給する。
【００２５】
校正機２６は、ＲＩＰ装置２２から供給された校正用データに基づいて、図示しない校正用紙上に画像が形成されたプルーフ２４を出力する。校正機２６として、ＤＤＣＰ（Direct Digital Color Proofing）、インクジェットカラープルーファ、低解像度のカラーレーザプリンタ（電子写真方式）又はインクジェットプリンタ等を用いてもよい。
【００２６】
デジタル印刷機３０は、刷版等の中間生成物を形成することなく（いわゆるダイレクト印刷により）、印刷媒体３４上に画像が形成された印刷物２８を出力する。デジタル印刷機３０としては、インクジェット印刷機、ワイドフォーマット印刷機、インクジェットカラープルーファ、カラーレーザプリンタ等を用いてもよい。
【００２７】
［面付け装置２０の電気的なブロック図］
図２は、図１に示す面付け装置２０の電気的なブロック図である。面付け装置２０は、基本的には、制御部４０と、通信Ｉ／Ｆ４２と、表示制御部４４と、表示部４６と、入力部４８と、メモリ５０（記憶媒体）とを備えるコンピュータである。
【００２８】
通信Ｉ／Ｆ４２は、外部装置からの電気信号を送受信するインターフェース（Ｉ／Ｆ）である。これにより、面付け装置２０は、各種データ（例えば、ＰＤＦ／ＶＴデータ５２）をサーバ装置１６（図１）から取得可能であり、各種データ（例えば、面付けデータ５４）をサーバ装置１６に供給可能である。
【００２９】
表示制御部４４は、制御部４０の制御に従って、表示部４６を駆動制御する制御回路である。表示制御部４４が、図示しないＩ／Ｆを介して、表示制御信号を表示部４６に出力することで、表示部４６が駆動する。これにより、表示部４６は、ウィンドウＷ１（図５、図７）、Ｗ２（図８、図９）を含む各種画像を表示することができる。
【００３０】
入力部４８は、マウス、トラックボール、キーボード、タッチパネル等の種々の入力デバイスで構成される。表示部４６による表示機能及び入力部４８による入力機能を組み合わせることでユーザ・インターフェースを実現する。
【００３１】
メモリ５０は、制御部４０が各構成要素を制御するのに必要なプログラム及びデータ等を記憶している。本図例では、ＰＤＦ／ＶＴ形式のページ記述データ（以下、ＰＤＦ／ＶＴデータ５２という）及びＪＤＦ形式の面付けデータ５４がそれぞれ格納されている。
【００３２】
メモリ５０は、非一過性であり、且つ、コンピュータ読み取り可能な記憶媒体で構成されてもよい。ここで、コンピュータ読み取り可能な記憶媒体は、光磁気ディスク、ＲＯＭ、ＣＤ−ＲＯＭ、フラッシュメモリ等の可搬媒体、コンピュータシステムに内蔵されるハードディスク等の記憶装置である。また、この記憶媒体は、短時間に且つ動的にプログラムを保持するものであっても、一定時間プログラムを保持するものであってもよい。
【００３３】
制御部４０は、ＣＰＵ（Central Processing Unit）等のプロセッサによって構成されている。制御部４０は、メモリ５０に格納されたプログラムを読み出し実行することで、バリアブル印刷設定部５６、表示用データ作成部５８、及び面付けデータ作成部６０の各機能を実現可能である。
【００３４】
バリアブル印刷設定部５６は、バリアブル印刷に関する各種パラメータを設定する。具体的には、バリアブル印刷設定部５６は、各レコードを構成するページ数（以下、個別ページ数という）を取得する個別ページ数取得部６２、各個別ページ数から共通ページ数を決定する共通ページ数決定部６４、及び、カット・アンド・スタックに適したシート数を算出するシート数算出部６６を備える。
【００３５】
表示用データ作成部５８は、現在の編集モードを取得する編集モード取得部６８、及び、ジョブ編集画面１００（図５等）を作成する画面作成部７０を備える。
【００３６】
面付けデータ作成部６０は、バリアブル印刷設定部５６による設定内容を反映させた面付けデータ５４を作成する。面付けデータ５４は、後述するように、共通ページ数からなる共通の且つ単一のページ配置を示すデータである。
【００３７】
［ＰＤＦ／ＶＴのデータ構造例］
ＰＤＦ／ＶＴ（Portable Document Format/Variable Transactional）は、可変データ・トランザクション文書を取り扱うための国際的規格であり、ＩＳＯ（International Standard Organization）１６６１２−２：２０１０に規定されている。
【００３８】
図３は、図２に示すＰＤＦ／ＶＴデータ５２から把握されるデータ構造を示す概略説明図である。本図例では、レコード情報８０として、８ページを単位とする１００個のレコード（レコード番号は１〜１００）が順次格納されている。このデータは、２つの折り丁を平綴じした制作物を生産するためのバリアブル印刷を想定している。なお、各折り丁は、表面及び裏面に２ページずつ印刷された印刷物２８を谷折りすることで得られる。
【００３９】
また、ページ配置情報８２として、４ページを単位とする２００枚のシート（シート番号は１〜２００）が順次格納されている。各シートにおいて、［１］裏面（Ｂ）且つ右側（Ｒ）、［２］表面（Ｆ）且つ左側（Ｌ）、［３］表面（Ｆ）且つ右側（Ｒ）、［４］裏面（Ｂ）且つ左側（Ｌ）の順番で、４ページ分の配置が規則的に割り当てられる。
【００４０】
［面付け装置２０の動作］
この実施形態に係る面付け装置２０は、以上のように構成される。続いて、図１及び図２に示す面付け装置２０の動作について、図４のフローチャートを主に参照しながら詳細に説明する。
【００４１】
一連の動作に先立ち、面付け装置２０は、面付け処理の設定に供されるジョブ編集画面１００の表示を行う。設定を開始する旨の指示に応じて、画面作成部７０は、ジョブ編集画面１００の表示用データを作成した後、該表示用データを表示制御部４４に供給する。そして、表示制御部４４は、ウィンドウＷ１（ジョブ編集画面１００を含む）を表示部４６に表示させる。
【００４２】
図５に示すように、ジョブ編集画面１００上には、第１設定欄１０２、第２設定欄１０４、第３設定欄１０６、第４設定欄１０８、及び［中止］［保存］と表記されたボタン群１１０が配置されている。ユーザとしての作業者は、入力部４８（図２）を操作させながら各設定欄を介して種々の設定を行うことができる。
【００４３】
第１設定欄１０２の上部には、［追加］と表記されたボタン１１２が配されている。［追加］ボタン１１２のクリック操作をトリガとして、面付け対象であるデータファイルを追加可能である。本図例では、ファイル名が「MobileBill.pdf」であるアイコン１１４が１つ表示されている。
【００４４】
第２設定欄１０４の上部には、［追加］と表記されたボタン１１６が配されている。［追加］ボタン１１６のクリック操作をトリガとして、読み出し対象のページを追加可能である。本図例では、４つのサムネイル１１８、より詳細には、第１ページ目のサムネイル１１８ａ、第２ページ目のサムネイル１１８ｂ、第３ページ目のサムネイル１１８ｃ、第４ページ目のサムネイル１１８ｄが上から順に表示されている。［追加］ボタン１１６の直下にある欄１２０には、「MobileBill.pdf」が有する全ページ数（＝８００）が表示されている。
【００４５】
第３設定欄１０６の上部には、［追加］と表記されたボタン１２２が配されている。［追加］ボタン１２２のクリック操作をトリガとして、ジョブ構造のセクションを追加可能である。階層メニュー１２４には、全ページ（８００ページ）が同一の階層レベルに表示される。本図例では、欄の制約上、上位ページ（１〜９ページ）が表示されている。
【００４６】
第４設定欄１０８には、１つのプルダウンメニュー１２６、［検索］［新規作成］［編集］と表記されたボタン群１２８、及び、両面のテンプレート画像１３０（表面画像１３１及び裏面画像１３２）が配されている。本図例では、テンプレート画像１３０は、名称が「Ｃｕｓｔｏｍ  Ｔｅｍｐｌａｔｅ」である２面付け・両面印刷の形態を模式的に表現している。そして、プルダウンメニュー１２６の変更操作に追従して、テンプレート画像１３０の形態が更新される。
【００４７】
図４のステップＳ１において、バリアブル印刷設定の開始指示を受け付けたか否かを判定する。まだ受け付けていない場合はステップＳ１に留まる一方、指示を受け付けた場合は次のステップ（Ｓ２）に進む。
【００４８】
ステップＳ２において、個別ページ数取得部６２は、バリアブル印刷に供されるＰＤＦ／ＶＴデータ５２をメモリ５０等から読み出し、該ＰＤＦ／ＶＴデータ５２の内容を解析する。そして、個別ページ数取得部６２は、各レコードを構成するページ数を、各個別ページ数として取得する。図３例では、個別ページ数取得部６２は、全レコードに共通するページ数である「８」を取得する。
【００４９】
ステップＳ３において、共通ページ数決定部６４は、ステップＳ２で取得された各個別ページ数のうち最大のページ数を、共通ページ数として決定する。図３例では、レコード番号１〜１００において個別ページ数はすべて「８」であるため、共通ページ数を「８」に決定する。
【００５０】
図６は、図３に示すデータ構造の変更結果を示す概略説明図である。レコード情報８０は、図３と同様であるので説明を省略する。本図に示すページ配置情報８４は、共通の且つ単一のレコード分の配置情報に相当する。より詳細には、４ページを単位とするシート（シート番号はＣ１、Ｃ２）が２枚格納されている。シート番号Ｃ１、Ｃ２において、［１］裏面（Ｂ）且つ右側（Ｒ）、［２］表面（Ｆ）且つ左側（Ｌ）、［３］表面（Ｆ）且つ右側（Ｒ）、［４］裏面（Ｂ）且つ左側（Ｌ）の順番で、４ページ分の配置が規則的に割り当てられる。
【００５１】
ステップＳ４において、編集モード取得部６８は、現在指定されている編集モードを取得する。バリアブル印刷設定には、汎用の印刷設定と同様に、ジョブの編集を行うための「ジョブ編集モード」と、面付けテンプレートの編集を行うための「面付け編集モード」が存在する。例えば、「ジョブ編集モード」が指定されている場合、面付け装置２０は、「ジョブ編集」のジョブ編集画面１００を継続して表示する（ステップＳ５）。
【００５２】
図７に示すように、ジョブ編集画面１００には、図５の場合と同様に、第１設定欄１０２、第２設定欄１０４、第３設定欄１０６、第４設定欄１０８、及びボタン群１１０が配置されている。ただし、バリアブル印刷設定の場合、汎用の印刷設定（図５）と比べて表示形態が一部異なっている。
【００５３】
例えば、第１設定欄１０２の［追加］ボタン１１２ｐ、第２設定欄１０４の［追加］ボタン１１６ｐがそれぞれパッシブ表示（操作不可状態）に変更されている。また、第３設定欄１０６には、［追加］ボタン１２２（図５）の代わりに［編集］ボタン１４０が配されている。［編集］ボタン１４０のクリック操作をトリガとして、ステップＳ３で決定された共通ページ数（＝８）をマニュアル変更可能である。
【００５４】
また、［編集］ボタン１４０の直下にある欄１４２には、「レコード数：１００（８）」と新たに表示されている。これは、全レコード数が「１００」であると共に、共通ページ数が「８」であることを示す。また、階層メニュー１４４として、１つ分のレコードを構成するページ（１〜８ページ）が表示されている。また、表面画像１３１はシート番号Ｃ１の形態を、裏面画像１３２はシート番号Ｃ２の形態をそれぞれ模式的に表現している。
【００５５】
ステップＳ７において、バリアブル印刷設定部５６は、設定保存の指示を受け付けたか否かを判定する。より詳細には、バリアブル印刷設定部５６は、ボタン群１１０（特に［保存］ボタン）のクリック操作があったか否かを判定する。所定の操作がなかった場合、ステップＳ４に戻って、以下ステップＳ４〜Ｓ６を繰り返す。
【００５６】
図７に戻って、ボタン群１２８（特に［編集］ボタン）のクリック操作に応じて、画面作成部７０は、面付け編集画面１５０の表示用データを作成した後、該表示用データを表示制御部４４に供給する。そして、表示制御部４４は、別のウィンドウＷ２（面付け編集画面１５０を含む）を表示部４６に表示させる。
【００５７】
図８に示すように、面付け編集画面１５０上には、アイコン群１５２、面付け表示欄１５４、サムネイル表示欄１５６、第４設定欄１５８、及び［更新］［閉じる］［保存］と表記されたボタン群１６０が配置されている。作業者は、入力部４８（図２）を操作させながら種々の設定を行うことができる。
【００５８】
面付け表示欄１５４には、任意のシート上でのプレビュー画像１６２が表示されている。面付け表示欄１５４の上方に位置する指示欄１６４を介して、表示対象であるレコード番号又はシート番号を指定可能である。
【００５９】
サムネイル表示欄１５６内には、プレビュー画像１６２に対応するサムネイル画像１６５、１６６が表示されている。サムネイル画像１６５、１６６が複数存在する場合は、そのうちの１つを選択することで、これに対応するシートの面付け形態を、面付け表示欄１５４内に呼び出すことができる。
【００６０】
第４設定欄１５８内には、アイコン群１６７、３つのチェックボックス１６８、１６９、１７０がそれぞれ配置されている。チェックボックス１６８〜１７０を介して、面付け処理に関する各種パラメータを設定可能である。
【００６１】
このように、「通常モード」を選択するためのアイコン１７２（図８）が「オン状態」である場合、図８に示す面付け編集画面１５０が表示される。一方、アイコン１７４のクリック操作に応じて、アイコン１７４が「オン状態」に遷移されることで「Ｃ＆Ｓモード」が選択される。ここで、「Ｃ＆Ｓモード」とは、カット・アンド・スタック（Cut and Stack）を行うための編集モードである。
【００６２】
「Ｃ＆Ｓモード」の選択操作に応じて、シート数算出部６６は、１枚のシート当たりの割り付けページ数、全レコード数及び共通ページ数に基づいて、各レコードを印刷可能である最小のシート数を算出する。以下、この算出方法の具体例について説明する。
【００６３】
例えば、４面付けされた印刷物２８を半分に断裁し、２面付けの束を積層する場合を想定する。また、１枚当たりの割り付けページ数は「８」、全レコード数は「１００」、共通ページ数は「８」である。この場合、最小のシート数は、（共通ページ数）×（全レコード数）／（割り付けページ数）＝８×１００／８＝１００枚と計算される。
【００６４】
図９に示すように、面付け編集画面１５０上には、図８の場合と同様に、アイコン群１５２、面付け表示欄１５４、サムネイル表示欄１５６、Ｃ＆Ｓ設定欄１７６、及びボタン群１６０が配置されている。ただし、Ｓ＆Ｃモードの場合、通常モード（図８）と比べて表示形態が一部異なっている。
【００６５】
例えば、面付け表示欄１５４には、カット・アンド・スタックを実施する場合のレイアウトに変更されたプレビュー画像１７８が表示されている。また、サムネイル表示欄１５６内には、プレビュー画像１７８に対応するサムネイル画像１８０が表示されている。
【００６６】
また、Ｃ＆Ｓ設定欄１７６には、カット・アンド・スタックに関するグループ対応表１８２と、［新規グループ］［削除］と表記されたボタン群１８４が配されている。グループ対応表１８２には、グループ番号、グループ名及びシート数がそれぞれ表示されている。初期状態では、１つのグループ「Ｃｕｔ＆Ｓｔａｃｋ」が作成されており、このシート数は、シート数算出部６６により算出された値と一致する。ボタン群１８４のクリック操作をトリガとして、カット・アンド・スタックのグループ数の増減、又はシート数の配分の変更が可能である。
【００６７】
図４のステップＳ７に戻って、バリアブル印刷設定部５６は、図５又は図７のボタン群１１０（特に［保存］ボタン）のクリック操作があった場合、次のステップ（Ｓ８）に進む。
【００６８】
ステップＳ８において、面付けデータ作成部６０は、ステップＳ１〜Ｓ７を経て確定された面付け情報である面付けデータ５４を作成する。面付けデータ作成部６０は、１つ又は複数の折り丁で構成されるページ配置を示す面付けデータ５４を作成する。ここで、面付けデータ５４内において、レコード情報８０はシート情報８６に紐付けられる。
【００６９】
その後、面付けデータ作成部６０は、面付けデータ５４をメモリ５０に格納・保存させる。その後、面付け装置２０は、サーバ装置１６に保管させるため、面付けデータ５４を通信Ｉ／Ｆ４２を介して外部に送出してもよい。
【００７０】
ステップＳ９において、ＲＩＰ装置２２は、面付け処理済みのページ記述データに対してラスタライズ処理を実行し、得られた印刷用データをデジタル印刷機３０側に供給する。ＲＩＰ装置２２は、１レコード分のページ記述データを処理した後に、バリアブル印刷に要する差分処理を実行してデジタル印刷機３０側に供給する。これにより、バリアブル印刷処理の簡易化・高速化が図れる。
【００７１】
ステップＳ１０において、デジタル印刷機３０は、ステップＳ９にて処理された印刷用データに基づき、印刷物２８をレコード単位で形成する。
【００７２】
ところで、図６例では、各レコードを構成するページ数が同じ場合について説明したが、各レコードを構成するページ数が異なる場合についても本処理を適用することができる。
【００７３】
図１０Ａ及び図１０Ｂは、各レコードを構成するページ数が異なる場合の処理方法に関する概略説明図である。図１０Ａに示すように、レコード番号が「１」のレコードは４つのコンテンツページ２００で、レコード番号が「２」のレコードは３つのコンテンツページ２００でそれぞれ構成される。また、レコード番号が「３」のレコードは５つのコンテンツページ２００で、レコード番号が「４」であるレコードは４つのコンテンツページ２００でそれぞれ構成される。この場合、共通ページ数決定部６４は、各個別ページ数のうち最大のページ数である「５」を、共通ページ数として決定する。
【００７４】
そうすると、図１０Ｂに示すように、レコード番号が「１」のレコードには１つの余白ページ２０１が、レコード番号が「２」のレコードには２つの余白ページ２０２が、レコード番号が「４」のレコードには１つの余白ページ２０３がそれぞれ生じる。
【００７５】
この場合、面付けデータ作成部６０は、各個別ページ数が共通ページ数よりも小さい場合に、各レコードでの不足分に対して余白ページ２０１〜２０３をそれぞれ挿入することで面付けデータ５４を作成する。より詳細には、面付けデータ作成部６０は、レコード情報８０（図６参照）のページ番号を共通ページ数に応じて変更すると共に、余白ページ２０１〜２０３に対応するページ記述データを対応付けておく。
【００７６】
これにより、各レコードを構成するページ数が異なる場合であっても、所望のバリアブル印刷が実現できる。上記した処理は、［編集］ボタン１４０を介して共通ページ数の変更があった後、ボタン群１１０（［保存］ボタン）のクリック操作を受け付けた後、その他のタイミングで適時実行される。
【００７７】
［本発明の効果］
以上のように、本発明に係るデータ作成装置としての面付け装置２０は、バリアブル印刷に供されるＰＤＦ／ＶＴデータ５２を解析することで、各レコードを構成するページ数を各個別ページ数として取得する個別ページ数取得部６２と、各個別ページ数のうち最大のページ数を共通ページ数として決定する共通ページ数決定部６４と、共通ページ数からなる共通の且つ単一のページ配置情報８４を示す面付けデータ５４を作成する面付けデータ作成部６０とを備える。
【００７８】
このように、各個別ページ数のうち最大のページ数を共通ページ数として決定し、共通ページ数からなる共通の且つ単一のページ配置を示す面付けデータ５４を作成するようにしたので、レコード１つ分に相当するデータ量を取り扱えば足り、データの管理及び処理の観点で高効率なバリアブル印刷用の面付けデータ５４を作成できる。
【００７９】
なお、この発明は、上述した実施形態に限定されるものではなく、この発明の主旨を逸脱しない範囲で自由に変更できることは勿論である。
【符号の説明】
【００８０】
１０…印刷物生産システム                  １６…サーバ装置
１８…ＤＴＰ端末                          ２０…面付け装置
２２…ＲＩＰ装置                          ２４…プルーフ
２６…校正機                              ２８…印刷物
３０…デジタル印刷機                      ３４…印刷媒体
４０…制御部                              ５０…メモリ
５２…ＰＤＦ／ＶＴデータ                  ５４…面付けデータ
５６…バリアブル印刷設定部                ６０…面付けデータ作成部
６２…個別ページ数取得部                  ６４…共通ページ数決定部
６６…シート数算出部                      ８０…レコード情報
８２、８４…ページ配置情報                １００…ジョブ編集画面
１５０…面付け編集画面
【図１】
2015001846.tif 000003
【図２】
2015001846.tif 000004
【図３】
2015001846.tif 000005
【図４】
2015001846.tif 000006
【図５】
2015001846.tif 000007
【図６】
2015001846.tif 000008
【図７】
2015001846.tif 000009
【図８】
2015001846.tif 000010
【図９】
2015001846.tif 000011
【図１０】
2015001846.tif 000012